(57)【要約】【課題】  音楽再生中でもユーザが確実に着信を認識可能であり且つユーザの耳に負担をかけない通信装置を提供する。【解決手段】  音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を前記着信報知手段による報知の音量で再生開始するように前記再生手段を制御する。【選択図】  図３
2011087052.tif 000002
【特許請求の範囲】
【請求項１】
音楽情報を再生可能であり且つ着信を報知可能な通信装置であり、
前記音楽情報を再生中に着信があると、前記音楽情報の再生を中断すると共に着信を報知し、通話終了後に中断していた音楽情報の再生を自動的に再開し、再生再開した音楽情報の再生音量を前記着信報知の音量と同一の音量で再生開始することを特徴とする通信装置。
【請求項２】
音楽情報を再生可能であり且つ着信を報知可能な通信装置であり、
前記音楽情報を再生中に着信があると、前記音楽情報の再生を中断すると共に着信を報知し、通話終了後に中断していた音楽情報の再生を自動的に再開し、再生再開した音楽情報の再生音量を前記着信報知の音量よりも低い音量で再生開始することを特徴とする通信装置。
【請求項３】
音楽情報を再生可能であり且つ着信を報知可能な通信装置であり、
前記音楽情報を再生する際には音量を無音から最大音量まで段階的に変更可能であり、
前記音楽情報を再生中に着信があると、前記音楽情報の再生を中断すると共に着信を報知し、通話終了後に中断していた音楽情報の再生を自動的に再開し、再生再開した音楽情報の再生音量を無音よりも１段階又は２段階高い音量で再生開始することを特徴とする通信装置。
【請求項４】
音楽情報を再生可能であり且つ着信を報知可能な通信装置であり、
前記音楽情報を再生中に着信があると、前記音楽情報の再生を中断すると共に着信を報知し、通話終了後に中断していた音楽情報の再生を自動的に再開し、再生再開した音楽情報の音量を着信前に再生していた音楽情報の再生音量よりも低い音量とすることを特徴とする通信装置。
【請求項５】
音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、
前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を前記着信報知手段による報知の音量で再生開始するように前記再生手段を制御すること特徴とする通信装置。
【請求項６】
音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、
前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を前記着信報知手段による報知の音量よりも低い音量で再生開始するように前記再生手段を制御すること特徴とする通信装置。
【請求項７】
音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、
前記再生手段により再生する音楽情報は無音から最大音量まで段階的に変更可能であり、
前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を無音よりも１段階又は２段階高い音量となるように前記再生手段を制御すること特徴とする通信装置。
【請求項８】
音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、
前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を、着信前に再生していた音楽情報の再生音量よりも低い音量で再生開始するように前記再生手段を制御すること特徴とする通信装置。
【発明の詳細な説明】
【技術分野】
【０００１】
本発明は音楽再生機能を有する通信装置に関する。
【背景技術】
【０００２】
近年の携帯電話等の通信装置は、通話機能だけでなく音楽再生機能も有している。このような携帯電話で音楽を聞く際には、まず、ユーザは音楽情報をダウンロードしダウンロードした音楽情報をメモリに格納させた後に、ヘッドフォンを携帯電話に取り付けてメモリに格納された音楽情報を再生することにより、ヘッドフォンを耳に装着した状態で携帯電話のメモリに格納された音楽を聞くことができる。
【０００３】
又、近年の携帯電話は、このようなメモリに格納された音楽情報を着信メロディ（着信時に着信がある旨をユーザに報知するための音楽）として登録する機能を有するものもある。
【０００４】
また、このような音楽再生機能を有する通信装置に関する技術も数多く提案されており、例えば特許文献１には、ヘッドフォンの着脱状態を検知し、耳から離脱された場合にオーディオ機器を自動停止させる自動停止機能を備えたヘッドホンシステムが記載されている。
【先行技術文献】
【特許文献】
【０００５】
【特許文献１】特開２００９−２７５６８号公報
【発明の概要】
【発明が解決しようとする課題】
【０００６】
しかしながら、引用文献１には、音楽再生中に着信があるとどのようにしてユーザに着信報知を行うかについて全く考慮されていない。
【０００７】
又、音楽再生中に着信音を大きな音量で再生するとユーザの耳に負担がかかり、耳に傷害を来たす可能性がある。このため、ユーザの耳にできるだけ負担がかからないように考慮する必要がある。
【課題を解決するための手段】
【０００８】
本発明はこのような課題を解決するためのものであり、請求項１に記載の通信装置は、音楽情報を再生可能であり且つ着信を報知可能な通信装置であり、前記音楽情報を再生中に着信があると、前記音楽情報の再生を中断すると共に着信を報知し、通話終了後に中断していた音楽情報の再生を自動的に再開し、再生再開した音楽情報の再生音量を前記着信報知の音量と同一の音量で再生開始することを特徴とする。
【０００９】
請求項２に記載の通信装置は、音楽情報を再生可能であり且つ着信を報知可能な通信装置であり、前記音楽情報を再生中に着信があると、前記音楽情報の再生を中断すると共に着信を報知し、通話終了後に中断していた音楽情報の再生を自動的に再開し、再生再開した音楽情報の再生音量を前記着信報知の音量よりも低い音量で再生開始することを特徴とする。
【００１０】
請求項３に記載の通信装置は、音楽情報を再生可能であり且つ着信を報知可能な通信装置であり、前記音楽情報を再生する際には音量を無音から最大音量まで段階的に変更可能であり、前記音楽情報を再生中に着信があると、前記音楽情報の再生を中断すると共に着信を報知し、通話終了後に中断していた音楽情報の再生を自動的に再開し、再生再開した音楽情報の再生音量を無音よりも１段階又は２段階高い音量で再生開始することを特徴とする。
請求項４に記載の通信装置は、音楽情報を再生可能であり且つ着信を報知可能な通信装置であり、前記音楽情報を再生中に着信があると、前記音楽情報の再生を中断すると共に着信を報知し、通話終了後に中断していた音楽情報の再生を自動的に再開し、再生再開した音楽情報の音量を着信前に再生していた音楽情報の再生音量よりも低い音量とすることを特徴とする。
請求項５に記載の通信装置は、音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を前記着信報知手段による報知の音量で再生開始するように前記再生手段を制御すること特徴とする。
【００１１】
請求項６に記載の通信装置は、音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を前記着信報知手段による報知の音量よりも低い音量で再生開始するように前記再生手段を制御すること特徴とする。
【００１２】
請求項７に記載の通信装置は、音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、前記再生手段により再生する音楽情報は無音から最大音量まで段階的に変更可能であり、  前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を無音よりも１段階又は２段階高い音量となるように前記再生手段を制御すること特徴とする。
【００１３】
請求項８に記載の通信装置は、音楽情報を記憶する記憶手段と、当該記憶手段に記憶されている音楽情報を再生する再生手段と、着信を検出する着信検出手段と、当該着信検出手段による着信の検出に応じて着信を報知する着信報知手段と、制御手段と、を有し、前記制御手段は、前記再生手段が前記記憶手段に記憶されている音楽情報を再生中に、前記着信検出手段が着信を検出したと判定すると、再生中の音楽情報の再生を中断するように前記再生手段を制御すると共に着信を報知するように前記着信報知手段を制御し、通話終了後に中断していた音楽情報の再生を自動的に再開し、再生再開した音楽情報の音量を、着信前に再生していた音楽情報の再生音量よりも低い音量で再生開始するように前記再生手段を制御すること特徴とする。
【発明の効果】
【００１４】
本発明によると、音楽情報を再生している際に着信があると音楽情報の再生を一時的に中断し、通話終了後には音楽情報の再生を自動的に再開するものであり、更に、音楽情報の再生を再開する際には、着信報知の音量と同一の音量で音楽情報を再生するため、突然大音量で音楽が再生され耳に負担をかけるといった問題を回避することが可能である。
【００１５】
又、音楽情報の再生を再開する際には、着信報知の音量よりも低い音量で音楽情報を再生するため、突然大音量で音楽が再生され耳に負担をかけるといった問題を回避することが可能である。
【００１６】
更に、音楽情報の再生音量を段階的に変更可能な通信装置であり、音楽情報の再生を再開する際には、無音から１段階または２段階高い音量で音楽情報を再生するため、突然大音量で音楽が再生され耳に負担をかけるといった問題を回避することが可能である。
【００１７】
又、音楽情報の再生を再開する際には、着信前に再生していた音楽情報の再生音量よりも低い音量で音楽情報を再生するため、突然大音量で音楽が再生され耳に負担をかけるといった問題を回避することが可能である。
【図面の簡単な説明】
【００１８】
【図１】本発明を適用してなる一実施例装置の斜視図である。
【図２】本実施例装置のブロック図である。
【図３】本実施例装置の動作を示すフロー図である。
【発明を実施するための形態】
【００１９】
次に、本発明の一実施形態に係る通信装置について、図面を参照して説明する。なお、本実施例では、携帯電話について実施しているが、音楽再生機能を有する通信装置であればこれに限定されず、例えば、コードレス電話機等でも同様に実施可能である。
【実施例】
【００２０】
本発明を適用してなる実施例装置について以下に説明する。尚、本実施例では携帯電話装置を一例にとり、その動作を説明する。
【００２１】
まず本実施例の概略を説明する。本実施例装置では、メモリに格納されている音楽を再生中に着信があると、着信メロディの再生音量を再生中の音楽の音量よりも小さい音量にして、ユーザに着信を報知するものである。このような構成とすることにより、ユーザが音楽を聴いている際に着信があっても、ユーザの耳に負担をかけることなくユーザに着信があることを知らせることが可能である。
【００２２】
次に本実施例について詳細に説明する。図１は、本実施例装置の斜視図である。図１において、携帯電話装置１は、ディスプレイ６０を搭載した第１の筐体とテンキー５１を搭載した第２の筐体とが開閉可能な構成となっている。
【００２３】
図２は、本実施例装置のブロック図を示している。図２に示すように、携帯電話装置１は、アンテナ２と接続された通信部３を備えている。この通信部３は、後述のベースバンド部４からの信号をアンテナ２を介して基地局へ発信し、あるいはアンテナ２を介して基地局からの電波を受信する。
【００２４】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００２５】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、ユーザの耳にあてて通話に使用される。
【００２６】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００２７】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動や警告音の鳴動も行う。更に、切替回路７には増幅回路１４を介して第３スピーカ１５が接続されており、この増幅回路１４と第３スピーカ１５は携帯電話装置本体に着脱可能なヘッドフォンである。尚、本実施例では第３スピーカ１５が一つしか記載されていないが、ステレオヘッドフォン用にスピーカを２つ携帯電話装置本体に接続した構成としても良い。ユーザが音楽を聴く際にはこちらの構成の方が好ましい。
【００２８】
切替回路７は、ベースバンド部４又は制御回路１００との接続を、第１スピーカ９用の増幅回路８とマイクロホン１１用の増幅回路１０側にするか、あるいは第２スピーカ１３用の増幅回路１２とマイクロホン１１用の増幅回路１０側にするか、又は第３スピーカ１５用の増幅回路１４側にするかを切替える。
【００２９】
また、通信部３、ベースバンド部４、切替回路７には、制御回路１００がそれぞれ接続されている。この制御回路１００の制御により上述した切替回路７による切り替えが行われる。また、制御回路１００によりベースバンド部４の音声コーデック６が制御され、音声コーデック６により第１スピーカ９及び第２スピーカ１３の音量やマイクロホン１１の感度が変更される。制御回路１００は、ＲＯＭ１５と接続されており、ＲＯＭ１５に格納されているシステムプログラムに基づき各部を制御する。
フラッシュメモリ１６は、音楽情報とディフォルトの着信メロディを格納可能である。まず音楽情報とは、携帯電話装置を工場から出荷する際に既に格納されている音楽の情報（例えばＭＰ３（ＭＰＥＧ  Ａｕｄｉｏ  ｌａｙｅｒ−３）方式や、ＡＡＣ（Ａｄｖａｎｃｅｄ  Ａｕｄｉｏ  Ｃｏｄｉｎｇ）方式の音楽データ）又は、ユーザの操作に基づいて音楽情報をサーバからダウンロードして格納した音楽の情報等である。一方、ディフォルトの着信メロディとは、携帯電話装置を工場から出荷する際に既に格納されている着信メロディの情報である。
【００３０】
制御回路１００には、入力部５０が接続されている。この入力部５０は、電話番号や文字の入力を行う為のテンキー５１と、通話の開始を操作する通話キー５２と、通話の終了を操作する切キー５３と、各種機能の設定を行う機能キー５４と、電源キー５５と、カーソルを移動させるための十字キー５６と、決定キー５７と、を有している。また、制御回路１００には、ディスプレイ６０のバックライトである照明部６１が接続されている。
【００３１】
又、制御回路１００は、各ブロックを制御する機能以外に、フラッシュメモリ１６に格納されている音楽情報（例えばＭＰ３（ＭＰＥＧ  Ａｕｄｉｏ  ｌａｙｅｒ−３）方式や、ＡＡＣ（Ａｄｖａｎｃｅｄ  Ａｕｄｉｏ  Ｃｏｄｉｎｇ）方式の音楽データ）を再生する機能を有している。又、制御回路１００で再生された音楽は第２スピーカ１３又は第３スピーカ１５から出力される。
次に本実施例装置の動作について説明する。図４は本実施例装置の動作を示すフロー図である。まず、制御回路１００は、ユーザの操作に基づいてフラッシュメモリ１６に格納されている音楽情報を１曲のみ或いは複数曲続けて再生している状態にある。即ち、フラッシュメモリ１６に格納されている音楽情報を切替回路７を介して第３スピーカ１５から出力している状態にある。更に、着信があった際に出力する着信メロディとして、フラッシュメモリ１６に格納されている音楽情報から１曲選択されて予め設定され、この設定情報はフラッシュメモリ１６に格納されているとする。
まず、制御回路１００は、音楽再生中に通信部３から着信があることを示す信号を検出すると、Ｓ０２ステップへ処理を進める。Ｓ０２ステップでは、制御回路１００は、フラッシュメモリ１６から読み込んでいる音楽情報の再生を一時中断すると共に再生中の音楽のどの時点で再生を一時中断したかの情報とその音量の情報を制御回路１００内部の図示せぬバッファメモリに一時的に格納する。勿論、このとき再生している音楽がどの音楽であるかの情報も格納される。
続くＳ０３ステップでは、制御回路１００は、フラッシュメモリ１６からディフォルトの着信メロディを読み込みスピーカ１５から出力させ、Ｓ０４ステップへ処理を進める。尚、このとき、制御回路１００は、Ｓ０２ステップでバッファメモリに格納した再生中の音楽の音量を参照し、再生中であった音楽の音量よりも小さい音量（例えば、音量を無音から１，２、３，４、最大、と６段階に変更可能であれば、「１」の音量）にして、着信メロディをスピーカ１５から出力するように制御する。
Ｓ０４ステップでは、制御回路１００は、入力部５０の通話キー５２が押下されたと判定すると着信に応答したと判定しＳ０５ステップへ処理を進め、一方、そうでなければＳ０４ステップの処理を繰り返す。尚、Ｓ０４ステップのＮで着信信号を受信しなくなると、着信が終了したと判定し、Ｓ０７ステップへ処理を進める構成としても良い。
Ｓ０５ステップでは、制御回路１００は、通信部３とベースバンド部４を制御することにより相手先との通話状態とし、Ｓ０６ステップへ処理を進める。Ｓ０６ステップでは、制御回路１００は、入力部５０から切キー５３の押下を検出すると通話終了と判定しＳ０７ステップへ処理を進め、そうでなければＳ０５ステップへ処理を戻し通話を継続させる。
Ｓ０７ステップでは、制御回路１００は、Ｓ０２ステップでバッファメモリに一時的に格納された情報を元に、再生途中であった時点から音楽情報をフラッシュメモリ１６から読み込み切替回路７と増幅回路１４を介してスピーカ１５から出力させる。尚、このとき再生される音楽情報の音量は、Ｓ０３ステップにおいて鳴動した着信メロディの音量と同一の音量にする。
以上説明したように、本実施例装置では、メモリに格納されている音楽を再生中に着信があると、着信メロディの再生音量を再生中の音楽の音量よりも小さい音量にして、ユーザに着信を報知するものである。このような構成とすることにより、ユーザが音楽を聴いている際に着信があっても、ユーザの耳に負担をかけることなくユーザに着信があることを知らせることが可能である。又、通話終了後に音楽を再生開始する際には、再生する音楽情報の音量は着信メロディの再生音量と同一の音量としている為、突然再生される音楽に対してユーザが驚いたり、ユーザの耳に負担をかけるといった問題を回避することができる。
尚、以下のように実施しても良い。
（１）着信があると再生中の音楽が着信メロディとして登録されている音楽であるか否かを判定し、着信メロディとして登録されている音楽であるとディフォルトの着信メロディを再生することにより着信を報知し、一方、着信メロディとして登録されている音楽でなければ登録されている着信メロディを再生することにより着信を報知する構成としても良い。
（２）本実施例装置では、着信があると音楽の再生を一時的に停止する構成としたが、着信があるとＳ０２ステップにおいて、再生中の音楽の音量を予め定められた音量（例えば、音量を無音から１，２、３，４、最大、と６段階に変更可能であれば、「１」の音量）にすると共に着信メロディを再生中の音楽の音量よりも大きな音量（例えば、「２」の音量）にする構成としても良い。このような構成とすることにより、ユーザは音楽を聴きながら着信がある旨を確実に知ることが可能である。更に、大音量で着信音が鳴動されユーザの耳に負担をかけるといったことがない。
（３）本実施例装置では、着信があると音楽の再生を一時的に停止する構成としたが、着信があるとＳ０２ステップにおいて、再生中の音楽の音量を予め定められた音量（例えば、音量を無音から１，２、３，４、最大、と６段階に変更可能であれば、「４」の音量）にすると共に着信メロディを再生中の音楽の音量よりも小さな音量（例えば、「３」の音量）にする構成としても良い。このような構成とすることにより、ユーザが着信を知るよりも音楽を聴くことを優先したい場合に、着信をあまり気にすることなく音楽を聴き続けることが可能である。更に、大音量で着信音が鳴動されユーザの耳に負担をかけるといったことがない。
（４）本実施例装置では、Ｓ０７ステップにおいて音楽を再生再開する際に、Ｓ０３ステップにおける着信メロディの鳴動音量と同じ音量としたが、Ｓ０３ステップにおける着信メロディの鳴動音量よりも小さい音量としても良い。
（５）本実施例装置では、Ｓ０７ステップにおいて音楽を再生再開する際に、Ｓ０３ステップにおける着信メロディの鳴動音量と同じ音量としたが、Ｓ０７ステップにおいて再生する音量を無音よりも１段階又は２段階高い音量（例えば、音量を無音から１，２、３，４、最大、と６段階に変更可能であれば、「１」又は「２」の音量）としても良い。
（６）本実施例装置では、Ｓ０７ステップにおいて音楽を再生再開する際に、Ｓ０３ステップにおける着信メロディの鳴動音量と同じ音量としたが、Ｓ０７ステップにおいて再生する音量をＳ０２ステップ以前に再生していた音楽の音量よりも低い音量としも良い。
【符号の説明】
【００３２】
３        通信部
４        ベースバンド部
７        切替回路
１５      第３スピーカ
１６      フラッシュメモリ
５０      入力部
１００    制御回路
【図１】
2011087052.tif 000003
【図２】
2011087052.tif 000004
【図３】
2011087052.tif 000005